(57)【特許請求の範囲】
【請求項１】
ＡＧＣを有し高い電界レベルの受信波の受信処理を行う携帯電話機の高電界入力対応システムにおいて、
受信周波数の受信波の電界レベルを一定の範囲のばらつきを持つ減衰量で減衰する高電界入力用フィルタと、
受信波を切り換えて、前記高電界入力用フィルタを経由し、又は迂回して、ＡＧＣを含む受信処理を行わせるスイッチと、
第１の高電界レベルと、第１の高電界レベルよりも小さい第２の高電界レベルを有し、第１の高電界レベル、第２の高電界レベルを超え又は未満となる受信波の電界レベルを検出する電界レベル検出部と、
前記電界レベル検出部が第１の高電界レベルを超える高電界の受信波を検出した場合に前記スイッチに前記高電界入力用フィルタを経由する切換を行わせ、前記高電界入力用フィルタを経由する切換後に受信波の高電界レベルが減衰し前記電界レベル検出部が第２の高電界レベル未満となる高電界の受信波を検出した場合に前記スイッチに前記高電界入力用フィルタを迂回する切換を行わせる切替部と、
前記電界レベル検出部が第１の高電界レベルを超える受信波の電界レベルを検出した場合に第１の高電界レベルを超える受信波の電界レベルを保持し、前記高電界入力用フィルタを経由する切換後に受信波の高電界レベルが減衰し前記電界レベル検出部が第１の高電界レベル未満となりかつ第２の高電界レベルを超える受信波の電界レベルを検出した場合に第１の高電界レベル未満となりかつ第２の高電界レベルを超える受信波の電界レベルを検出毎に保持する記憶部と、
前記記憶部に保持されている第１の高電界レベルを超える受信波の電界レベルと第１の高電界レベル未満となりかつ第２の高電界レベルを超える受信波の電界レベルとの差分を前記高電界入力用フィルタの減衰量として連続して算出し、算出された差分のうち隣接する差分が一定の範囲で相互に等しい場合には前記スイッチに前記高電界入力用フィルタを経由する切換を保持し、算出前後の差分が一定の範囲で相互に等しくならない場合には前記スイッチに前記高電界入力用フィルタを経由する切換を解除し迂回させる切換解除部とを備えることを特徴とする携帯電話機の高電界入力対応システム。
【請求項２】
前記切換解除部は、前記記憶部に保持されている第１の高電界レベルを超える受信波の電界レベルに算出された前記高電界入力用フィルタの減衰量を加算した値が第１の高電界レベルを超える場合には前記スイッチに前記高電界入力用フィルタを経由する切換を保持させ、前記加算した値が第１の高電界レベル未満となる場合には前記スイッチに前記高電界入力用フィルタを経由する切換を解除させ迂回させることを特徴とする、請求項１に記載の携帯電話機の高電界入力対応システム。
【請求項３】
前記高電界入力用フィルタは、一方端がそれぞれ接地されたコンデンサ及びコイルの他方端間にコイルが接続されて構成されることを特徴とする、請求項１に記載の携帯電話機の高電界入力対応システム。
【請求項４】
前記高電界入力用フィルタは、受信周波数に対して、製造上の１０〜２０ｄＢのばらつき範囲で減衰を行うことを特徴とする、請求項１に記載の携帯電話機の高電界入力対応システム。
【請求項５】
前記第１の高電界レベルは６０ｄＢｕであることを特徴とする、請求項１に記載の携帯電話機の高電界入力対応システム。
【請求項６】
前記第２の高電界レベルは４０ｄＢｕであることを特徴とする、請求項１に記載の携帯電話機の高電界入力対応システム。
【請求項７】
ＡＧＣを有し高い電界レベルの受信波の受信処理を行う携帯電話機の高電界入力対応方法において、
受信周波数の受信波の電界レベルを一定の範囲のばらつきを持つ減衰量で減衰する処理を行う工程と、
受信波を切り換えて、前記受信波の電界レベルの減衰処理を経由し、又は迂回し、ＡＧＣを含む受信処理を行う工程と、
第１の高電界レベル、第１の高電界レベルよりも小さい第２の高電界レベルを超え又は未満となる受信波の電界レベルを検出する処理を行う工程と、
前記受信波の電界レベルの検出処理で第１の高電界レベルを超える高電界の受信波を検出した場合に前記受信波の電界レベルの減衰処理を経由する切換の処理を行う工程と、
前記受信波の電界レベルの減衰処理を経由する切換の処理後に受信波の高電界レベルが減衰し前記受信波の電界レベルの検出処理で第２の高電界レベル未満となる高電界の受信波を検出した場合に前記受信波の電界レベルの減衰処理を迂回する切換の処理を行う工程と、
前記受信波の電界レベルの検出処理で第１の高電界レベルを超える受信波の電界レベルを検出した場合に第１の高電界レベルを超える受信波の電界レベルを保持する処理を行う工程と、
前記受信波の電界レベルの減衰処理を経由する切換後に受信波の高電界レベルが減衰し前記受信波の電界レベルの検出処理で第１の高電界レベル未満となりかつ第２の高電界レベルを超える受信波の電界レベルを検出した場合に第１の高電界レベル未満となりかつ第２の高電界レベルを超える受信波の電界レベルを検出毎に保持する処理を行う工程と、
保持されている第１の高電界レベルを超える受信波の電界レベルと第１の高電界レベル未満となりかつ第２の高電界レベルを超える受信波の電界レベルとの差分を前記受信波の電界レベルの減衰量として連続して算出する処理を行う工程と、
算出された差分のうち隣接する差分が一定の範囲で相互に等しい場合には前記受信波の電界レベルの減衰処理を経由する切換処理を保持する工程と、
算出前後の差分が一定の範囲で相互に等しくならない場合には前記受信波の電界レベルの減衰処理を経由する切換を解除し迂回させる工程とを備えることを特徴とする携帯電話機の高電界入力対応方法。
【発明の詳細な説明】
【０００１】
【産業上の利用分野】
本発明は、極端に高い電界レベル環境下で使用される携帯電話機、ＰＨＳ（Ｐｅｒｓｏｎａｌ  Ｈａｎｄｙ  Ｐｈｏｎｅ  Ｓｙｓｔｅｍ）等の高電界入力対応システムに関する。特に、本発明は、フェージング等の原因により、受信波の高い電界レベルを誤って減衰し、減衰の解除を行うのを防止するための携帯電話機の高電界入力対応システムに関する。
【０００２】
【従来の技術】
携帯電話機が基地局に接近し過ぎると、携帯電話機、ＰＨＳ（以下、携帯電話機で総称する）に高い電界レベルの受信波が入力され、受信内部の増幅回路において、入力レベルが過大となり、ＡＧＣ（自動利得制御）で対応できずに、出力レベルに歪みが生じる。すなわち、期待されている、受信波に対する増幅回路の利得が飽和し、妨害波及びノイズレベルの影響を多大に受けてしまい、期待されるＣ／Ｎ（搬送波対ノイズ比）を確保できず、通話品質の劣化を伴う。
【０００３】
入力された受信波の高い電界レベルを減衰させることに関して、特開平５−４８３６０号に記載されるものがあり、これには、アンテナ入力信号の電界強度が強くなると、ＡＧＣ電圧が高くなるので、減衰回路を駆動して、アンテナ入力信号を減衰させることが開示されている。
【０００４】
【発明が解決しょうとする課題】
しかしながら、入力される受信波の電界レベルが、フェージング等の原因で、高くなると誤認識して、上記の減衰回路が駆動されるという問題がある。減衰回路の誤駆動後にフェージング等の原因で、ＡＧＣが対応できなくなり、増幅器による歪みが発生し、通話品質が劣化するという問題がある。
次に、減衰回路の駆動後、入力される受信波の電界レベルが高い場合には減衰回路の駆動により一定量だけ減衰を維持し、低くなった場合には減衰回路の駆動解除が行われる。
【０００５】
この場合、減衰回路駆動後の受信波の電界レベルに減衰回路により一定量だけ減衰された減衰量が加算され加算電界レベルから受信波の電界レベルが高いか否かが判断される。
ところで、減衰回路の減衰量には製造上のばらつきがあり、このばらつきに起因して減衰回路により減衰される電界レベルにばらつきが発生する。このばらつきを個々の減衰回路製造毎に測定することは工程が煩雑となる。
【０００６】
このため、減衰回路の減衰量を各減衰回路に対して代表的に減衰量を一定値に設定すると、受信波に高い電界レベルが無くなったか否かを正確に判断することが困難となる。すなわち、受信波に未だ高い電界レベルが有るのに既に無いと誤判断したり、受信波に既に高い電界レベルが無いのに未だ有ると誤判断したりすることにより、減衰回路の駆動に関する誤解除の発生に伴い、ＡＧＣが対応できなくなり、増幅器に歪みが発生し、通話品質が劣化するという問題がある。
【０００７】
したがって、本発明は上記問題点に鑑みて、フェージング等の原因による減衰回路の誤駆動を回避しつつ受信波の高い電界レベルに対しては減衰駆動回路を確実に駆動させ、且つ減衰回路の製造上の減衰ばらつきがあっても減衰回路の減衰量を正確に算出し、減衰回路の駆動時に受信波の電界レベルを正確に判断して減衰回路の駆動解除を正確に行う、携帯電話機の高電界入力対応システムを提供することを目的とする。
【０００８】
【課題を解決するための手段】
本発明は前記問題点を解決するために、ＡＧＣを有し高い電界レベルの受信波の受信処理を行う携帯電話機の高電界入力対応システムにおいて、受信周波数の受信波の電界レベルを一定の範囲のばらつきを持つ減衰量で減衰する高電界入力用フィルタと、受信波を切り換えて、前記高電界入力用フィルタを経由し、又は迂回して、ＡＧＣを含む受信処理を行わせるスイッチと、第１の高電界レベルと、第１の高電界レベルよりも小さい第２の高電界レベルを有し、第１の高電界レベル、第２の高電界レベルを超え又は未満となる受信波の電界レベルを検出する電界レベル検出部と、前記電界レベル検出部が第１の高電界レベルを超える高電界の受信波を検出した場合に前記スイッチに前記高電界入力用フィルタを経由する切換を行わせ、前記高電界入力用フィルタを経由する切換後に受信波の高電界レベルが減衰し前記電界レベル検出部が第２の高電界レベル未満となる高電界の受信波を検出した場合に前記スイッチに前記高電界入力用フィルタを迂回する切換を行わせる切替部と、前記電界レベル検出部が第１の高電界レベルを超える受信波の電界レベルを検出した場合に第１の高電界レベルを超える受信波の電界レベルを保持し、前記高電界入力用フィルタを経由する切換後に受信波の高電界レベルが減衰し前記電界レベル検出部が第１の高電界レベル未満となりかつ第２の高電界レベルを超える受信波の電界レベルを検出した場合に第１の高電界レベル未満となりかつ第２の高電界レベルを超える受信波の電界レベルを検出毎に保持する記憶部と、前記記憶部に保持されている第１の高電界レベルを超える受信波の電界レベルと第１の高電界レベル未満となりかつ第２の高電界レベルを超える受信波の電界レベルとの差分を前記高電界入力用フィルタの減衰量として連続して算出し、算出された差分のうち隣接する差分が一定の範囲で相互に等しい場合には前記スイッチに前記高電界入力用フィルタを経由する切換を保持し、算出前後の差分が一定の範囲で相互に等しくならない場合には前記スイッチに前記高電界入力用フィルタを経由する切換を解除し迂回させる切換解除部とを備えることを特徴とする携帯電話機の高電界入力対応システムを提供する。
【０００９】
この手段により、フェージング等の原因による減衰手段の誤駆動を回避しつつ受信波の高い電界レベルに対しては減衰手段を確実に駆動させることが可能になり、これにより、通話品質の劣化を防止することが可能になる。
また、減衰手段の製造上の減衰ばらつきがあっても減衰手段の減衰量を正確に算出し、減衰手段の駆動時に受信波の電界レベルを正確に判断して減衰手段の駆動解除を正確に行うことが可能になり、これにより、通話品質の劣化を防止することが可能になる。
【００１０】
さらに、前記切換解除部は、前記記憶部に保持されている第１の高電界レベルを超える受信波の電界レベルに算出された前記高電界入力用フィルタの減衰量を加算した値が第１の高電界レベルを超える場合には前記スイッチに前記高電界入力用フィルタを経由する切換を保持させ、前記加算した値が第１の高電界レベル未満となる場合には前記スイッチに前記高電界入力用フィルタを経由する切換を解除させ迂回させる。
【００１１】
この手段により、フェージング等の原因による影響を除去し、正確な差分、すなわち、高電界入力用フィルタの減衰量を保存でき、高電界入力用フィルタの駆動時に、受信波の電界レベルを正確に検出することが可能になる。
好ましくは、前記高電界入力用フィルタは、一方端がそれぞれ接地されたコンデンサ及びコイルの他方端間にコイルが接続されて構成される。
【００１２】
さらに、好ましくは、前記高電界入力用フィルタは、受信周波数に対して、製造上１０〜２０ｄＢのばらつき範囲で減衰を行う。
これらの手段により、高電界入力用フィルタの減衰量は、小さく、且つ簡単な構成であるので、回路規模を最小限にすることが可能になる。
好ましくは、前記第１の高電界レベルは６０ｄＢｕであり、さらに、好ましくは、前記第２の高電界レベルは４０ｄＢｕである。
【００１３】
これらの手段のように、高電界入力用フィルタの減衰量について、ばらつきの最大値を２０ｄＢとして、第１の高電界レベルから第２の高電界レベルが決定される。
さらに、本発明は、ＡＧＣを有し高い電界レベルの受信波の受信処理を行う携帯電話機の高電界入力対応方法において、受信周波数の受信波の電界レベルを一定の範囲のばらつきを持つ減衰量で減衰する処理を行う工程と、受信波を切り換えて、前記受信波の電界レベルの減衰処理を経由し、又は迂回し、ＡＧＣを含む受信処理を行う工程と、第１の高電界レベル、第１の高電界レベルよりも小さい第２の高電界レベルを超え又は未満となる受信波の電界レベルを検出する処理を行う工程と、前記受信波の電界レベルの検出処理で第１の高電界レベルを超える高電界の受信波を検出した場合に前記受信波の電界レベルの減衰処理を経由する切換の処理を行う工程と、前記受信波の電界レベルの減衰処理を経由する切換の処理後に受信波の高電界レベルが減衰し前記受信波の電界レベルの検出処理で第２の高電界レベル未満となる高電界の受信波を検出した場合に前記受信波の電界レベルの減衰処理を迂回する切換の処理を行う工程と、前記受信波の電界レベルの検出処理で第１の高電界レベルを超える受信波の電界レベルを検出した場合に第１の高電界レベルを超える受信波の電界レベルを保持する処理を行う工程と、前記受信波の電界レベルの減衰処理を経由する切換後に受信波の高電界レベルが減衰し前記受信波の電界レベルの検出処理で第１の高電界レベル未満となりかつ第２の高電界レベルを超える受信波の電界レベルを検出した場合に第１の高電界レベル未満となりかつ第２の高電界レベルを超える受信波の電界レベルを検出毎に保持する処理を行う工程と、保持されている第１の高電界レベルを超える受信波の電界レベルと第１の高電界レベル未満となりかつ第２の高電界レベルを超える受信波の電界レベルとの差分を前記受信波の電界レベルの減衰量として連続して算出する処理を行う工程と、算出された差分のうち隣接する差分が一定の範囲で相互に等しい場合には前記受信波の電界レベルの減衰処理を経由する切換処理を保持する工程と、算出前後の差分が一定の範囲で相互に等しくならない場合には前記受信波の電界レベルの減衰処理を経由する切換を解除し迂回させる工程とを備えることを特徴とする携帯電話機の高電界入力対応方法を提供する。
【００１４】
この手段により、上記発明と同様に、フェージング等の原因による減衰手段の誤駆動を回避しつつ受信波の高い電界レベルに対しては減衰手段を確実に駆動させることが可能になり、これにより、通話品質の劣化を防止することが可能になる。
また、減衰手段の製造上の減衰ばらつきがあっても減衰手段の減衰量を正確に算出し、減衰手段の駆動時に受信波の電界レベルを正確に判断して減衰手段の駆動解除を正確に行うことが可能になり、これにより、通話品質の劣化を防止することが可能になる。
【００１５】
【発明の実施の形態】
以下、本発明の実施の形態について図面を参照して説明する。
図１は、本発明に係る携帯電話機の高電界入力対応システムの概略構成を示すブロック図である。
本図に示すように、携帯電話機には携帯電話機受信部１０が設けられ、携帯電話機受信部１０は受信波の受信処理を行う。
【００１６】
携帯電話機受信部１０には入力側にフィルタ１１が設けられ、フィルタ１１はバンドパスフィルタであり、受信波から妨害波、ノイズを除去する。
フィルタ１１には増幅器１２が接続され、増幅器１２は、微弱な電界の高周波の受信波を増幅し、ＡＧＣ（自動利得制御）を有し、フェージング等の原因による出力信号を一定にする。
増幅器１２にはフィルタ１３が設けられ、フィルタ１３はバンドパスフィルタ１３であり、増幅に伴う歪みを除去する。
【００１７】
フィルタ１３にはミキサ１４が接続され、ミキサ１４は送信周波数を中間周波数に変換する。
ミキサ１４には発振器１５が接続され、発振器１５は送信周波数を中間周波数に変換するための周波数を発生し、ミキサ１４に出力する。
ミキサ１４にはフィルタ１６が接続され、フィルタ１６はバンドパスフィルタであり、中間周波数への変換時に生じる不要周波数を除去する。
【００１８】
フィルタ１６にはミキサ１７が接続され、ミキサ１７は中間周波数をベースバンドに変換する。
ミキサ１７には発振器１８が接続され、発振器１８は中間周波数をベースバンドに変換するための周波数を発生し、ミキサ１７に出力する。
ミキサ１７にはフィルタ１９が接続され、フィルタ１９はバンドパスフィルタであり、ベースバンドへの変換時に生じる不要周波数を除去する。
【００１９】
フィルタ１９には増幅器２０が接続され、増幅器２０はベースバンドの低周波信号を増幅し、増幅信号を受話音の形成に使用させる。同時に増幅器２０の出力信号は、増幅器１２のＡＧＣに使用される。
さらに、携帯電話機の高電界入力対応システムとして、携帯電話機受信部１０のフィルタ１１の入力側にスイッチ（ＳＷ）３１と高電界入力用フィルタ３２が設けられ、スイッチ３１の入力側には受信波が入力し、スイッチ３１の一方の出力端とフィルタ１１が直接接続され、スイッチ３１の他方の出力端とフィルタ１１の間に高電界入力用フィルタ３２が位置し、スイッチ３１は受信波をフィルタ１１又は高電界入力用フィルタ３２のいずれかに択一的に出力する。
【００２０】
スイッチ３１は、通常、高電界入力用フィルタ３２を迂回しフィルタ１１を選択し、高電界レベルの受信波が入力されると、高電界入力用フィルタ３２を選択して経由し、携帯電話機受信部１０に受信処理を行わせる。
高電界入力用フィルタ３２は、極端な高電界の受信波を入力すると、受信周波数に対して、１０から２０ｄＢの減衰を行い、増幅器１２、増幅器２０の増幅の歪みを軽減することを可能にし、通話品質の劣化を軽減する。
【００２１】
増幅器２０にはアナログ／ディジタル（Ａ／Ｄ）変換器３４が接続され、Ａ／Ｄ変換器３３は、増幅器２０の出力信号が分岐して入力され、アナログ信号をディジタル信号に変換する。
Ａ／Ｄ変換器３３には制御部３４が接続され、制御部３４は、Ａ／Ｄ変換器３３からのディジタル信号を処理してスイッチ３１の切換制御を行う。
【００２２】
制御部３４には記憶部３５が接続され、記憶部３５は、制御部３４で処理されるデータを一時的に記憶する。
図２は図１の高電界入力用フィルタ３２の概略回路構成を示す図である。本図に示すように、高電界入力用フィルタ３２は、コンデンサＣ１、コイルＬ１、Ｌ２から構成され、コンデンサＣ１、コイルＬ２のそれぞれの一方端が接地され、コンデンサＣ１とコイルＬ２のそれぞれ他方端の間にコイルＬ１が接続され、コンデンサＣ１とコイルＬ２の接続端に受信波が入力し、コイル１とコイル２の接続端にフィルタ１１が接続される。
【００２３】
このように、高電界入力用フィルタ３２はコンデンサＣ１、コイルＬ１、Ｌ２から構成されるので、回路規模を大きく拡大することなく実現することが可能になる。
図３は図２の高電界入力用フィルタ３２の周波数特性を示す図である。本図に示すように、高電界入力用フィルタ３２は受信周波数（ｆｃ）に対して、１０から２０ｄＢの減衰量ａの減衰を行う。
【００２４】
このように、高電界入力用フィルタ３２の減衰量が１０から２０ｄＢであるので、ＬＣのみで容易にフィルタを構成することが可能になり、このため、回路規模を最小限にすることが可能になる。
図４は図１における制御部３４の概略構成を示すブロック図であり、図５は高電界入力用フィルタ３２に切り換えられる場合の受信波の電界レベルを示す図であり、図６は高電界入力用フィルタ３２への誤切換が解除される場合の受信波の電界レベルを示す図である。
【００２５】
図４に示すように、制御部３４にはｄＢ（デシベル）変換部４１が設けられ、ｄＢ変換部４１は、Ａ／Ｄ変換器３３に接続され、増幅器２０のディジタル出力信号の絶対値を平均化して受信波の電界レベルの大きさをデシベルに変換して表す。
ｄＢ変換部４１には電界レベル検出部４２が接続され、電界レベル検出部４２は、スイッチ３１がフィルタ１１を選択して、受信波がフィルタ１１に入力される場合に、図５に示すように、例えば、６０ｄＢの第１の高電界レベルを越える、受信波の電界レベルＡを検出する。
【００２６】
電界レベル検出部４２は、第１の高電界レベルを越える電界レベルの受信波を検出すると、電界レベル検出部４２に検出された受信波の高電界レベルＡを記憶部３５に記憶させる。
さらに、電界レベル検出部４２は、スイッチ３１が高電界入力用フィルタ３２を選択して、受信波が高電界入力用フィルタ３２に入力される場合に、図５に示すように、例えば、４０ｄＢｕの第２の高電界レベルを越える複数の高電界レベルＢ１、…、Ｂｎ−１、Ｂｎを検出する。
【００２７】
電界レベル検出部４２は、第２の高電界レベルを検出すると、この検出毎に電界レベル検出部４２に検出された４０ｄＢを越える複数の高電界レベルＢ１、Ｂ２、Ｂ３、…、Ｂｎを記憶部３５に記憶させる。
電界レベル検出部４２には切換部４３が接続され、切換部４３は、電界レベル検出部４２から第１の高電界レベルの検出信号を入力すると、フィルタ１１から高電界入力用フィルタ３２へ受信波の入力を切り換える信号をスイッチ３１に出力する。
【００２８】
さらに、電界レベル検出部４２には切換解除部４４が接続され、切換解除部４４は、切換部４３に対して、フィルタ１１から高電界入力用フィルタ３２への切換信号を出力した後に、図６に示すように、検出される電界レベルＢ１が第２の電界レベル以下である場合には、切換部４３に対して、高電界入力用フィルタ３２からフィルタ１１への切換を行う切換解除信号を出力する。
【００２９】
携帯電話機が基地局に接近している期間、受信波の電界レベルが高い電界レベルに維持される。一方、フェージング等の原因の場合には、受信波の電界レベルの変動が大きく、一時的に高い電界レベルになる場合がある。このため、第１の高電界レベルを越える高電界レベルが検出されてフィルタ１１から高電界入力用フィルタ３２に切換えられた後に、検出される電界レベルが第２の高電界レベル以下である場合には、第１の高電界レベルを越える受信波の電界レベルは、フェージング等の原因により、誤って検出されたとして、切換解除部４４により切換解除信号が出力される。これにより、減衰回路の誤駆動が解除されるので、従来のように、フェージング等の原因で発生する増幅器による歪み、これに伴う通話品質の劣化を防止することが可能になる。
【００３０】
さらに、切換解除部４４では、電界レベル検出部４２により、第２の高電界レベルを越える高電界レベルの受信波を検出する毎に、記憶部３５から記憶されているデータを読み出し、フェージング等の原因を取り除き、高電界入力用フィルタ３２の減衰量ａの正確な算出を行い、算出された高電界入力用フィルタ３２の減衰量を記憶部３５に記憶する。換言すれば、製造上ばらつきがある高電界入力用フィルタ３２の減衰量を個別に算出する。
【００３１】
さらに、切換解除部４４では、電界レベル検出部４２により、第２の高電界レベルを越える高電界レベルの受信波を検出する毎に、記憶部３５から記憶されているデータを読み出し、高電界入力用フィルタ３２の減衰が無い場合の入力波の電界レベルを正確に予測する。
換言すれば、高電界入力用フィルタ３２の減衰量に製造上のばらつきがあっても、高電界入力用フィルタ３２の減衰が無い場合の入力波の電界レベルを正確に予測することを可能にする。
【００３２】
図７は携帯電話機の高電界入力対応システムに係わる一連の動作を説明するフローチャートであり、図８は受信波の高電界レベルの低下による高電界入力用フィルタ３２の切換解除が行われる場合の受信波の電界レベルを示す図である。
ステップＳ１００において、初期状態として、スイッチ３１でフィルタ１１を選択する。
【００３３】
ステップＳ１１０において、受信波が６０ｄＢｕの第１の高電界レベルを越える電界レベルであることを検出する。ここに、第１の高電界レベルは、高電界入力用フィルタ３２を介さない場合に、受信波の電界レベルが高電界レベルか否かを判断するレベルである。
ステップＳ１２０において、検出される電界レベルＡを記憶部３５に記憶する。
【００３４】
ステップＳ１３０において、スイッチ３１で高電界入力用フィルタ３２の選択に切り換える。
ステップＳ２００において、切り換え後、高電界入力用フィルタ３２を用いた複数の電界レベルＢ１、…、Ｂｎ−１、Ｂｎを検出する。このとき、高電界入力用フィルタ３２の周波数特性により、受信周波数（ｆｃ）に対して、１０〜２０ｄＢ減衰する。例えば、受信波の電界レベルが高い電界レベル６０ｄＢであるとすると、検出した電界レベルが４０〜５０ｄＢｕ程度に減衰される。高電界入力用フィルタ３２の減衰量の幅は、製造上のばらつきに起因する。
【００３５】
ステップＳ２１０において、再度、切り換え後の電界レベルＢ１、…、Ｂｎ−１、Ｂｎが４０ｄＢｕの第２の高電界レベルを越える電界レベルであるかの判断を行う。ここに、第２の高電界レベルは、高電界入力用フィルタ３２を介する場合に、高電界入力用フィルタ３２の減衰量のばらつきを考慮して、受信波の電界レベルが高電界レベルか否かを判断するレベルである。
【００３６】
ステップＳ２２０、Ｓ２３０において、切り換え後の電界レベルＢ１が第２の高電界レベルを超えない場合には、高電界入力用フィルタ３２への切り換えを解除し、フィルタ１１への初期状態に切り換えを行い、動作処理を終了する。
ステップＳ２４０において、切り換え後の電界レベルＢ１が第２の高電界レベルを超える場合には、切り換え前後の電界レベルＢ１、…、Ｂｎ−１、Ｂｎを記憶部３５に記憶し、切り換え前の電界レベルＡと切り換え後の電界レベルＢ１、…、Ｂｎ−１、Ｂｎの差分Ｃ１、…、Ｃｎ−１、Ｃｎを以下のように求め、記憶部３５に記憶する。
【００３７】
Ｃ１＝Ａ−Ｂ１
…、
Ｃｎ−１＝Ａ−Ｂｎ−１
Ｃｎ＝Ａ−Ｂｎ
ステップＳ２５０において、電界レベル差分算出回数をｎとして、ｎ＝１か否かを判断する。ｎ＝１ならば、ステップＳ２００に進み、以上の手順を繰り返す。フェージング等の原因による電界レベルの誤検出の可能性もあるので、本動作が１回目であれば、再度切り換え後の電界レベルを検出し、切り換え前後の電界レベルの差分を算出し、差分算出の回数をカウントする。
【００３８】
ステップＳ２６０において、差分算出でカウントされたｉ回とｉ＋１回で算出したｉ、ｉ＋１の電界レベル差分Ｃｉ＝Ａ−Ｂｉ、Ｃｉ＋１＝Ａ−Ｂｉ＋１を比較する。
ステップＳ２７０において、ｉの電界レベル差分Ｃｉ≒ｉ＋１の電界レベル差分Ｃｉ＋１が成立するかを判断する。ほぼ等しいという関係が成立すれば、フェージング等の原因による電界レベルの誤検出はないものと判断される。ほぼ等しいという関係が成立しなければ、どちらかの値が電界レベルの誤検出と見なされて、再度切り換え後の電界レベルを検出するように、ステップＳ２００に戻り、以上の手順を繰り返す。
【００３９】
ステップＳ２８０において、ほぼ等しいという関係が成立する場合には、ｉ＋１回目に求められた電界レベルの差分Ｃｉ＋１（＝ａ）を、高電界入力用フィルタ３２の減衰量ａとして記憶部３５に保持する。
ステップＳ３００において、高電界入力用フィルタ３２の減衰量ａが求められた後、スイッチ３１で高電界入力用フィルタ３２の選択を保持する。
【００４０】
ステップＳ３１０において、このとき入力されている受信波の電界レベルＢｊを検出し、高電界入力用フィルタ３２の減衰量ａを加算して、加算電界レベルＡｊ＝Ｂｊ＋ａを求める。加算電界レベルＡｊは受信波の正確な電界レベルとして用いることが可能である。
ステップＳ３２０において、受信波の正確な電界レベルとしての加算電界レベルＡｊが６０ｄＢｕを越えるか否かを判断する。図８に示すように、越える場合には、高い電界レベルの受信波が入力されているとして、引き続き、スイッチ３１で高電界入力用フィルタ３２の選択を保持し、電界レベルの検出を継続するため、ステップＳ３００に戻り、以上手順を繰り返す。
【００４１】
ステップＳ３３０、Ｓ３４０において、図８に示すように、越えない場合には、スイッチ３１で初期状態のフィルタ１１の選択に戻し、高い電界レベルの受信波が入力されていないと認識し、動作処理を終了する。
【００４２】
【発明の効果】
以上説明したように、本発明によれば、受信周波数の受信波の電界レベルを一定の範囲のばらつきを持つ減衰量で減衰し、受信波を切り換えて、前記受信波の電界レベルの減衰処理を経由し、又は迂回し、ＡＧＣを含む受信処理を行い、第１の高電界レベル、第１の高電界レベルよりも小さい第２の高電界レベルを超え又は未満となる受信波の電界レベルを検出し、前記受信波の電界レベルの検出処理で第１の高電界レベルを超える高電界の受信波を検出した場合に前記受信波の電界レベルの減衰処理を経由する切換を行い、前記受信波の電界レベルの減衰処理を経由する切換の処理後に受信波の高電界レベルが減衰し前記受信波の電界レベルの検出処理で第２の高電界レベル未満となる高電界の受信波を検出した場合に前記受信波の電界レベルの減衰処理を迂回する切換の処理を行い、前記受信波の電界レベルの検出処理で第１の高電界レベルを超える受信波の電界レベルを検出した場合に第１の高電界レベルを超える受信波の電界レベルを保持し、前記受信波の電界レベルの減衰処理を経由する切換後に受信波の高電界レベルが減衰し前記受信波の電界レベルの検出処理で第１の高電界レベル未満となりかつ第２の高電界レベルを超える受信波の電界レベルを検出した場合に第１の高電界レベル未満となりかつ第２の高電界レベルを超える受信波の電界レベルを検出毎に保持し、保持されている第１の高電界レベルを超える受信波の電界レベルと第１の高電界レベル未満となりかつ第２の高電界レベルを超える受信波の電界レベルとの差分を前記受信波の電界レベルの減衰量として連続して算出し、算出された差分のうち隣接する差分が一定の範囲で相互に等しい場合には前記受信波の電界レベルの減衰処理を経由する切換処理を保持し、算出前後の差分が一定の範囲で相互に等しくならない場合には前記受信波の電界レベルの減衰処理を経由する切換を解除し迂回させる
ようにしたので、フェージング等の原因による減衰手段の誤駆動を回避しつつ受信波の高い電界レベルに対しては減衰手段を確実に駆動させることが可能になり、これにより、通話品質の劣化を防止することが可能になる。
また、減衰手段の製造上の減衰ばらつきがあっても減衰手段の減衰量を正確に算出し、減衰手段の駆動時に受信波の電界レベルを正確に判断して減衰手段の駆動解除を正確に行うことが可能になり、これにより、通話品質の劣化を防止することが可能になる。
【００４３】
さらに、保持されている第１の高電界レベルを超える受信波の電界レベルに算出された前記受信波の電界レベルの減衰量を加算した値が第１の高電界レベルを超える場合には前記受信波の電界レベルの減衰処理を経由する切換を保持し、前記加算した値が第１の高電界レベル未満となる場合には前記受信波の電界レベルの減衰処理を経由する切換を解除し迂回するようにしたので、フェージング等の原因による影響を除去し、正確な差分、すなわち、高電界入力用フィルタの減衰量を保存でき、高電界入力用フィルタの駆動時に、受信波の電界レベルを正確に検出することが可能になる。
【００４４】
さらに、高電界入力用フィルタは、一方端がそれぞれ接地されたコンデンサ及びコイル他方端間にコイルが接続されて構成され、前記高電界入力用フィルタは、受信周波数に対して、１０〜２０ｄＢの範囲で減衰を行うようにしたので、高電界入力用フィルタの減衰量は、小さく、且つ簡単な構成であるため、回路規模を最小限にすることが可能になる。
【図面の簡単な説明】
【図１】本発明に係る携帯電話機の高電界入力対応システムの概略構成を示すブロック図である。
【図２】図１の高電界入力用フィルタ３２の概略回路構成を示す図である。
【図３】図２の高電界入力用フィルタ３２の周波数特性を示す図である。
【図４】図１における制御部３４の概略構成を示すブロック図である。
【図５】高電界入力用フィルタ３２に切り換えられる場合の受信波の電界レベルを示す図である。
【図６】高電界入力用フィルタ３２への誤切換が解除される場合の受信波の電界レベルを示す図である。
【図７】携帯電話機の高電界入力対応システムに係わる一連の動作を説明するフローチャートである。
【図８】受信波の高電界レベルの低下による高電界入力用フィルタ３２の切換解除が行われる場合の受信波の電界レベルを示す図である。
【符号の説明】
１０…携帯電話機受信部
１１、１３、１６、１９…フィルタ
１２、２０…増幅器
１４、１７…ミキサ
１５、１８…発振器
３１…スイッチ
３２…高電界入力用フィルタ
３３…Ａ／Ｄ変換器
３４…制御部
３５…記憶部
４１…ｄＢ変換部
４２電界レベル検出部
４３…切換部
４４…切換解除部
Ｌ１、Ｌ２…コイル
Ｃ１…コンデンサ
【図１】
0003606187.tif 000002
【図２】
0003606187.tif 000003
【図３】
0003606187.tif 000004
【図４】
0003606187.tif 000005
【図５】
0003606187.tif 000006
【図６】
0003606187.tif 000007
【図７】
0003606187.tif 000008
【図８】
0003606187.tif 000009